(57)【要約】      （修正有）【課題】ビオトープにおける雑草の成長を抑制できて理想的なビオトープを維持できるビオトープ管理方法を提供する。【解決手段】本発明に係るビオトープ管理方法は、ビオトープにおける水部（川）１と陸部との境界近傍区域２での植物の生育を許容し、境界近傍区域２以外の陸部での植物の生育を抑制することを特徴とする。【選択図】図１
2017163854.tif 000002
【特許請求の範囲】
【請求項１】
ビオトープにおける水部と陸部との境界近傍区域での植物の生育を許容し、境界近傍区域以外の陸部での植物の生育を抑制することを特徴とするビオトープ管理方法。
【請求項２】
境界近傍区域以外の陸部を、境界近傍区域から所定距離までの近隣区域と、境界近傍区域から所定距離よりもさらに離れた遠隔区域と、に分け、
近隣区域においては、雑草生育抑制材料を用いて雑草の生育を抑制し、
遠隔区域においては、中木又は高木を植栽して、当該中木や高木で雑草への太陽光を遮ることにより雑草の生育を抑制したことを特徴とする請求項１に記載のビオトープ管理方法。
【発明の詳細な説明】
【技術分野】
【０００１】
本発明は、ビオトープ管理方法、特に、ビオトープにおける雑草の成長を抑制する方法に関する。
【背景技術】
【０００２】
植物、魚貝、昆虫等の生物が共存する空間は、ビオトープ（生息空間）と呼ばれ、人々に安らぎの場又は生物との触れあいの場を提供する。
例えば、ホタルが生息しやすい水路を形成したビオトープ（特許文献１参照）、池の水を浄化するようにしたビオトープ（特許文献２参照）等が知られている。
ビオトープにおいては、人工的な手を加えないという認識が強く、ビオトープに新たに植栽した植物以外は、自然の摂理のままに管理しないと言われることが多い。しかし、この考え方は、元々の考え方の発祥地であるドイツ等のヨーロッパの気候風土に基づいた考え方であり、自然条件の豊かな日本では、雑草管理等を行わないと、短時間のうちに雑草で覆われることが多い。
雑草の成長をそのまま放置すると、雑草が背丈以上の高さにまで成長し、特に生長力の強い「クズ」などのつる性植物や、外来種である「セイダカアワダチソウ」等が人が入れないほど繁茂することが多い。ひとたびこのような状況になると、下草にまで太陽の光が届かなくなって、雑草のみが繁茂してしまい、下草等の成長は著しく阻害され、ビオトープの定義である多様な生物の生長阻害が起きてしまう。例えば、ホタルが生息するビオトープの場合、ホタルが卵を産み付ける水草等の水辺植物や苔等の水中植物の成長が雑草の繁茂により抑制されてしまって、ホタルが生息できる理想的なビオトープを維持できなくなる可能性がある。
【先行技術文献】
【特許文献】
【０００３】
【特許文献１】特開２００７−  ２３６９５号公報
【特許文献２】特開２００５−３０８９２７号公報
【発明の概要】
【発明が解決しようとする課題】
【０００４】
従来は、ビオトープの雑草を草刈等で除去・管理することが一般的であったが、頻繁に草刈等の作業を行うことは大変であり、また、現地に管理者がいない場合や遠方の場合には、現地において頻繁に雑草を草刈等で除去・管理することは困難であった。
そこで、本発明は、ビオトープにおける雑草の成長を抑制できて理想的なビオトープを維持できるビオトープ管理方法を提供する。
【課題を解決するための手段】
【０００５】
本発明に係るビオトープ管理方法によれば、ビオトープにおける水部と陸部との境界近傍区域での植物の生育を許容し、境界近傍区域以外の陸部での植物の生育を抑制することを特徴とするので、ビオトープにおける雑草の成長を抑制できて理想的なビオトープを維持できるようになる。
また、境界近傍区域以外の陸部を、境界近傍区域から所定距離までの近隣区域と、境界近傍区域から所定距離よりもさらに離れた遠隔区域と、に分け、近隣区域においては、雑草生育抑制材料を用いて雑草の生育を抑制し、遠隔区域においては、中木又は高木を植栽して、当該中木や高木で雑草への太陽光を遮ることにより雑草の生育を抑制したことを特徴とするので、ビオトープにおける雑草の成長を抑制できて理想的なビオトープを維持できるようになり、また、中木や高木を植栽することで、景観の良好なビオトープを創生できるとともに、遠隔区域の雑草繁茂を抑制できるようになる。
【図面の簡単な説明】
【０００６】
【図１】ビオトープ管理方法においての区域分けを示す図。
【発明を実施するための形態】
【０００７】
実施形態に係るビオトープ管理方法は、図１に示すように、ビオトープにおける水部としての川（せせらぎ）１と陸部との境界近傍区域２での植物の生育を許容し、境界近傍区域２以外の陸部での植物の生育を抑制する。即ち、ビオトープにおける川１と陸部との境界近傍区域２となる両岸水際（水辺）区域では、例えばホタルが卵を産み付ける水草（クロモ、セキショウモ、ミズスギナ、ウィローモス等）の水辺植物や苔等の水中植物の成長を妨げないように、これら植物を自然な状態で生育させるとともに、境界近傍区域２以外の陸部では、雑草が繁茂しないように、雑草の生育を妨げるようにする。
尚、境界近傍区域２は、水草の生育範囲を調査して適切に設定すればよいが、例えば、川１の岸から１ｍ以内の陸部の領域とすればよい。
【０００８】
また、図１に示すように、境界近傍区域２以外の陸部は、境界近傍区域２から所定距離までの近隣区域３と、境界近傍区域２から所定距離よりもさらに離れた遠隔区域４と、に分ける。
そして、近隣区域３においては、雑草生育抑制材料を用いて雑草の生育を抑制する。
また、遠隔区域４においては、中木（植栽時の樹高が１ｍ以上２．５ｍ未満の樹木）又は高木（植栽時の樹高が４ｍ以上で、大きく成長が見込まれる樹木）を植栽して、当該中木や高木で雑草への太陽光を遮るようにすることによって、雑草の生育を抑制する。
【０００９】
近隣区域３においては、例えば、地盤の表面に雑草生育抑制材料としての「ウッドチップ」や「砂利・砕石」等を敷設して固めることで雑草が生えるのを抑制したり、地盤の表面に雑草生育抑制材料としての「除草シート」敷設して雑草が生えるのを抑制したり、雑草生育抑制材料としての「土壌固化剤」を用いて地盤を固めることで雑草が生えるのを抑制する。
尚、「除草シート」としてはデュポン株式会社製の商品名「ザバーン（登録商標）」等があり、「土壌固化剤」としては、山陽ロード工業株式会社製の商品名「ビゼンソイル」等がある。
【００１０】
このように、近隣区域３において雑草の生育を抑制することにより、例えば、生長力の強い外来種である「セイダカアワダチソウ」の繁茂を抑制でき、境界近傍区域２の近くで「セイダカアワダチソウ」が例えば１ｍ以上の背丈に群生して境界近傍区域２への太陽光を遮断してしまうような事態を防止できるようになるので、水草等の水辺植物や苔等の水中植物が太陽光を受けて自然な状態で生育する環境を維持できるようになる。
従って、近隣区域３において「セイダカアワダチソウ」等の背丈の高くなる雑草を頻繁に草刈等で除去・管理する必要がなくなるとともに、ホタルが卵を産み付ける水草等の水辺植物や苔等の水中植物が順調に成長し、ホタルが生息できる理想的なホタルビオトープを維持できるようになる。
【００１１】
また、遠隔区域４においては、例えば、つる性の植物である「クズ」等の雑草が繁茂しやすい場合が多い。そこで、遠隔区域４においては、中木又は高木を意識的に植栽し、中木や高木がつる性の植物への太陽の光を遮るようにすることで、つる性の植物の繁茂を抑えるようにする。
また、中木や高木は、境界近傍区域２への太陽光を遮断しない位置に植栽する。
【００１２】
このように、遠隔区域４において、つる性の植物である「クズ」等の雑草を頻繁に草刈等で除去・管理する必要がなくなるとともに、かつ、境界近傍区域２から遠く離れた遠隔区域４においては、中木や高木を植栽したとしても、中木や高木が境界近傍区域２への太陽光を遮断してしまうことはないので、ホタルが卵を産み付ける水草等の水辺植物や苔等の水中植物が順調に成長し、ホタルが生息できる理想的なホタルビオトープを維持できるようになる。また、中木や高木を植栽することで、景観の良好なビオトープを創生できる。即ち、中木や高木を植栽することで、景観の良好なビオトープを創生できるとともに、遠隔区域４の雑草繁茂を抑制できるようになる。
【００１３】
実施形態によるビオトープ管理方法によれば、ビオトープでの雑草の成長を抑制できて理想的なビオトープを維持できるようになる。即ち、ビオトープでの異常な雑草の繁茂を抑制することができるようになり、例えば、ホタルの育成で最も重要な水辺の植栽の正常な管理が行えるようになる。
【００１４】
換言すれば、水部と、水部と陸部との境界近傍区域において植物の生育が許容された植物生育許容部と、植物生育許容部よりも水部から離れた陸部において植物の生育が抑制された植物生育抑制部と、を設け、植物生育抑制部を、境界近傍区域から所定距離までの近隣区域と、境界近傍区域から所定距離よりもさらに離れた遠隔区域と、に分け、近隣区域においては、雑草生育抑制材料を用いて雑草の生育を抑制し、遠隔区域においては、植栽された中木又は高木で雑草への太陽光を遮って雑草の生育を抑制することで、頻繁な草刈り等の雑草管理が不要で、かつ、理想的なビオトープを創生できるようになる。
【００１５】
尚、上記では、水部としての川１を有したビオトープの雑草成長抑制方法を例示したが、本発明のビオトープの雑草成長抑制方法は、水部としての湖や海を有したビオトープの雑草成長抑制にも適用可能である。
また、ビオトープでの雑草の成長を抑制できることで、ホタル以外の昆虫（例えばトンボや蝶々等）、魚貝等の生育に適した理想的なビオトープを維持できるようにもなる。
【符号の説明】
【００１６】
１  川（水部）、２  境界近傍区域、３  近隣区域、４  遠隔区域。
【図１】
2017163854.tif 000003